(57)【特許請求の範囲】
【請求項１】
共通端子と、該共通端子に選択的に接続される第１被選択端子と、前記共通端子に選択的に接続される第２被選択端子と、前記第１被選択端子と前記第２被選択端子との間にあり、前記共通端子に選択的に接続される第３被選択端子と、を備えたスイッチ素子と、
前記第１被選択端子と前記第２被選択端子に接続されるフィルタ素子と、
前記第１被選択端子と前記第２被選択端子との間に接続される第１インダクタと、
を備え、
前記第３被選択端子は、前記フィルタ素子に接続しない、
高周波スイッチモジュール。
【請求項２】
前記フィルタ素子は、前記第１被選択端子と前記第２被選択端子に対して共通化された出力端子を備える、
請求項１に記載の高周波スイッチモジュール。
【請求項３】
前記第１被選択端子は、第１通信バンドの信号が伝送され、
前記第２被選択端子は、前記第１通信バンドの信号の高調波成分に近接または重なっている第２通信バンドの信号が伝送され、
前記フィルタ素子は、前記第１通信バンドの信号の周波数帯域および前記第２通信バンドの信号の周波数帯域を通過帯域とし、
前記第１被選択端子と前記第２被選択端子との間で発生するキャパシタと、前記第１インダクタとによって、並列共振回路が構成され、
前記並列共振回路は、前記第１通信バンドの信号の高調波成分を減衰させる、
請求項１または請求項２に記載の高周波スイッチモジュール。
【請求項４】
前記スイッチ素子、前記フィルタ素子、および、前記第１インダクタが実装される回路基板を備え、
前記第１被選択端子と前記第１インダクタとを接続する第１接続導体の長さと、前記第２被選択端子と前記第１インダクタとを接続する第２接続導体の長さは、前記第１インダクタと前記フィルタ素子を接続する接続導体の長さよりも短い、
請求項１乃至請求項３のいずれかに記載の高周波スイッチモジュール。
【請求項５】
前記第１接続導体と前記第２接続導体は、前記回路基板を平面視して異なる位置に配置されている、
請求項４に記載の高周波スイッチモジュール。
【請求項６】
前記フィルタ素子は、前記第１被選択端子に接続する第１フィルタと、前記第２被選択端子に接続する第２フィルタとを備え、
前記第１フィルタは、前記第１通信バンドの信号の周波数帯域を通過帯域とし、
前記第２フィルタは、前記第２通信バンドの信号の周波数帯域を通過帯域とする、
請求項３に記載の高周波スイッチモジュール。
【請求項７】
前記スイッチ素子と前記第１フィルタとが接続する伝送ラインにおける前記スイッチ素子と前記第１インダクタとの間に、整合用インダクタが接続されている、
請求項６に記載の高周波スイッチモジュール。
【請求項８】
前記スイッチ素子と前記第２フィルタとが接続する伝送ラインにおける前記スイッチ素子と前記第２フィルタとの間に、整合用インダクタが接続されている、
請求項６に記載の高周波スイッチモジュール。
【請求項９】
前記第１インダクタは、前記回路基板に形成されたスパイラル形状の導体パターンであり、
前記回路基板の内部に形成され、前記第１インダクタに近接するグランド導体は、前記スパイラル形状の中央開口部に重ならない形状である、
請求項４または請求項５に記載の高周波スイッチモジュール。
【請求項１０】
前記フィルタ素子は、前記第１被選択端子と前記第２被選択端子に対して共通化された出力端子を備え、
前記フィルタ素子における前記出力端子に接続された第２インダクタを備え、
前記第２インダクタは、前記第１インダクタと電磁界結合している、
請求項１に記載の高周波スイッチモジュール。
【発明の詳細な説明】
【技術分野】
【０００１】
本発明は、無線通信装置のフロントエンド部等に利用される高周波スイッチモジュールに関する。
【背景技術】
【０００２】
現在、通信バンドの多様化に伴って、携帯電話器等の無線通信装置では、多くの通信バンドを通信可能なフロントエンド回路を備えている。このようなフロントエンド回路では、複数の通信バンドの送信信号および受信信号を、これらの通信バンドに共通のアンテナを用いて送受信することで、小型化を実現している。そして、複数の通信バンドでアンテナを共用するため、特許文献１に示すように、スイッチモジュールが多く採用されている。【０００３】
例えば、特許文献１に記載のスイッチモジュールは、複数の通信バンドの送受信回路、およびＳＰｎＴ（ｎは２以上の整数）のスイッチ素子を備える。スイッチ素子の共通端子はアンテナに接続され、複数の被選択端子は各通信バンドの送受信回路に接続される。この構成によって、複数の通信バンドの送受信回路のいずれかを、アンテナに切り替えて接続している。
【先行技術文献】
【特許文献】
【０００４】
【特許文献１】特開２００６−１０９０８４号公報
【発明の概要】
【発明が解決しようとする課題】
【０００５】
しかしながら、スイッチ素子の複数の被選択端子は、スイッチ素子の筐体の一辺に沿って配置されていることが多く、これら被選択端子は概ね近接している。【０００６】
このため、被選択端子間で高周波信号が漏洩してしまうことがある。例えば、次のような場合に、特に問題となる。第１の通信バンドの信号の高調波の周波数が、第２の通信バンドの基本周波数に近接または重なっている。第１被選択端子と第２被選択端子が近接しており、第１被選択端子に第１の通信バンドの信号が伝送し、第２被選択端子に第２の通信バンドの信号が伝送する。【０００７】
この場合、第１の通信バンドの高調波成分が、第１被選択端子から第２被選択端子に漏洩し、第２の通信バンドの送受信回路に不要に伝送してしまう。これにより、第２の通信バンドに対する伝送特性が劣化してしまう。【０００８】
本発明の目的は、スイッチ素子の被選択端子側のアイソレーションを高く確保することができる高周波スイッチモジュールを提供することにある。
【課題を解決するための手段】
【０００９】
この発明の高周波スイッチモジュールは、スイッチ素子、フィルタ素子、および、第１インダクタを備える。スイッチ素子は、共通端子、および、該共通端子に選択的に接続される第１、第２被選択端子を備える。フィルタ素子は、第１被選択端子および第２被選択端子に接続され、第１被選択端子および第２被選択端子と反対側の端子が共通化されている。第１インダクタは、第１被選択端子と第２被選択端子との間に接続されている。【００１０】
この構成では、スイッチ素子の第１被選択端子と第２被選択端子との間に生じるキャパシタと第１インダクタとの並列共振と、第１被選択端子と第２被選択端子のそれぞれに接続されるフィルタ素子とによって、第１被選択端子と第２被選択端子との間に漏洩する高周波信号が抑制される。すなわち、第１被選択端子と第２被選択端子との間のアイソレーション特性を高くすることができる。【００１１】
また、この発明の高周波スイッチモジュールでは、次の構成であることが好ましい。高周波スイッチモジュールは、スイッチ素子、フィルタ素子、および、第１インダクタが実装される回路基板を備える。第１被選択端子とインダクタとを接続する第１接続導体の長さと、第２被選択端子と第１インダクタとを接続する第２接続導体の長さは、第１インダクタとフィルタ素子を接続する接続導体の長さよりも短い。【００１２】
この構成では、第１被選択端子と第２被選択端子との間に生じる容量性結合を抑制できる。これによって、第１被選択端子と第２被選択端子との間に漏洩する高周波信号がさらに抑制される。【００１３】
また、この発明の高周波スイッチモジュールでは、第１接続導体と第２接続導体は、回路基板を平面視して異なる位置に配置されていることが好ましい。【００１４】
この構成では、第１接続導体と第２接続導体との容量性結合がさらに抑制される。【００１５】
また、この発明の高周波スイッチモジュールでは、スイッチ素子は、第１被選択端子と第２被選択端子との間に第３の被選択端子を備えていることが好ましい。【００１６】
この構成では、第１被選択端子と第２被選択端子とが離間されるので、第１被選択端子と第２被選択端子との間での高周波信号の漏洩が抑制される。【００１７】
また、この発明の高周波スイッチモジュールでは、次の構成であってもよい。フィルタ素子は、第１被選択端子に接続する第１フィルタと、第２被選択端子に接続する第２フィルタとを備える。スイッチ素子と第１フィルタとが接続する伝送ラインにおけるスイッチ素子とインダクタとの間に、整合用インダクタが接続されている。【００１８】
この構成では、スイッチ素子の第１被選択端子のインピーダンスを適正なインピーダンスに設定することができる。【００１９】
また、この発明の高周波スイッチモジュールでは、次の構成であってもよい。フィルタ素子は、第１被選択端子に接続する第１フィルタと、第２被選択端子に接続する第２フィルタとを備える。スイッチ素子と第２フィルタとが接続する伝送ラインにおけるスイッチ素子と第２フィルタとの間に、整合用インダクタが接続されている。【００２０】
この構成では、第２フィルタからスイッチ素子を見たインピーダンスを適正なインピーダンスに設定することができる。【００２１】
また、この発明の高周波スイッチモジュールでは、次の構成であってもよい。第１インダクタは、回路基板に形成されたスパイラル形状の導体パターンである。回路基板の内部に形成され、第１インダクタに近接するグランド導体は、スパイラル形状の中央開口部に重ならない形状である。【００２２】
この構成では、第１インダクタのＱ値の低下を抑制できる。これにより、第１被選択端子と第２被選択端子との間のアイソレーション特性がさらに改善される。【００２３】
また、この発明の高周波スイッチモジュールは、フィルタ素子における第１インダクタが接続される端子と反対側の端子に接続された第２インダクタを備える。第２インダクタは、第１インダクタと電磁界結合している。【００２４】
この構成では、第２インダクタをアイソレーション特性の向上に利用することができる。第２インダクタは、他の機能（例えば、他の回路素子間の整合、フィルタ特性）に利用されるものである。したがって、新たに別途、第２インダクタを用いることなく、アイソレーション特性を向上することができる。
【発明の効果】
【００２５】
この発明によれば、スイッチ素子の被選択端子側のアイソレーションを高く確保することができる。これにより、優れた伝送特性を有する高周波スイッチモジュールを実現できる。
【図面の簡単な説明】
【００２６】
【図１】本発明の第１の実施形態に係る高周波スイッチモジュールの回路図である。
【図２】本発明の第１の実施形態に係る高周波スイッチモジュールの構成と比較構成でのアイソレーション特性を示すグラフである。
【図３】本発明の第１の実施形態に係る高周波スイッチモジュールの平面図である。
【図４】本発明の第２の実施形態に係る高周波スイッチモジュールの構造を示す部分断面図である。
【図５】本発明の第３の実施形態に係る高周波スイッチモジュールの構造を示す平面図である。
【図６】本発明の第４の実施形態に係る高周波スイッチモジュールの回路図である。
【図７】本発明の第５の実施形態に係る高周波スイッチモジュールの回路図である。
【図８】本発明の第６の実施形態に係る高周波スイッチモジュールの回路図である。
【図９】本発明の第７の実施形態に係る高周波スイッチモジュールの構造を示す部分断面図である。
【発明を実施するための形態】
【００２７】
本発明の第１の実施形態に係る高周波スイッチモジュールについて、図を参照して説明する。図１は、本発明の第１の実施形態に係る高周波スイッチモジュールの回路図である。
【００２８】
本実施形態に係る高周波スイッチモジュール１０は、スイッチ素子２０、第１インダクタ３０、フィルタ素子４０を備える。フィルタ素子４０は、第１フィルタを構成するＳＡＷフィルタ４１と第２フィルタを構成するＳＡＷフィルタ４２とを備える。なお、第１、第２フィルタの少なくとも一方が、ＢＡＷフィルタによって構成されていてもよい。
【００２９】
スイッチ素子２０は、共通端子Ｐ００、被選択端子Ｐ０１，Ｐ０２，Ｐ０３，Ｐ０４を備える。スイッチ素子２０は、半導体スイッチからなるＳＰｎＴスイッチである。ｎは２以上の整数であればよい。共通端子Ｐ００は、被選択端子Ｐ０１，Ｐ０２，Ｐ０３，Ｐ０４のいずれかに選択的に接続される。
【００３０】
共通端子Ｐ００は、高周波スイッチモジュール１０のアンテナ接続端子Ｐａｎｔに接続されている。アンテナ接続端子Ｐａｎｔは、アンテナＡＮＴに接続されている。
【００３１】
被選択端子Ｐ０２は、ＳＡＷフィルタ４１に接続されている。被選択端子Ｐ０３は、ＳＡＷフィルタ４２に接続されている。被選択端子Ｐ０２は、本発明の第１被選択端子に相当し、被選択端子Ｐ０３は、本発明の第２被選択端子に相当する。
【００３２】
ＳＡＷフィルタ４１とＳＡＷフィルタ４２とは、互いに異なる通信帯域を有している。本実施形態において、ＳＡＷフィルタ４１とＳＡＷフィルタ４２の通過帯域が互いに重ならない。ＳＡＷフィルタ４１とＳＡＷフィルタ４２は、高周波スイッチモジュール１０のフロントエンド端子Ｐｆｅに接続されている。すなわち、ＳＡＷフィルタ４１とＳＡＷフィルタ４２は、フロントエンド端子Ｐｆｅ側の端子（被選択端子Ｐ０２，Ｐ０３に接続する側と反対側の端子）が共通化され、フロントエンド端子Ｐｆｅに接続されている。これにより、ＳＡＷフィルタ４１とＳＡＷフィルタ４２を小型に形成することができる。
【００３３】
第１インダクタ３０は、被選択端子Ｐ０２と被選択端子Ｐ０３とに接続されている。より具体的には、第１インダクタ３０は、被選択端子Ｐ０２とＳＡＷフィルタ４１を接続する伝送ラインと、被選択端子Ｐ０３とＳＡＷフィルタ４２を接続する伝送ラインとに接続されている。
【００３４】
このような回路構成からなる高周波スイッチモジュール１０は、次に示すように利用される。第１通信バンドの高周波信号を受信する場合、共通端子Ｐ００と被選択端子Ｐ０２が接続される。ＳＡＷフィルタ４１は、第１通信バンドの受信信号の周波数帯域が通過帯域内となるように設定されている。アンテナＡＮＴで受信した第１通信バンドの受信信号は、スイッチ素子２０を介して、ＳＡＷフィルタ４１に入力される。第１通信バンドの受信信号は、ＳＡＷフィルタ４１で濾波されて、フロントエンド端子Ｐｆｅから出力される。第２通信バンドの高周波信号を受信する場合、共通端子Ｐ００と被選択端子Ｐ０３が接続される。ＳＡＷフィルタ４２は、第２通信バンドの受信信号の周波数帯域が通過帯域内となるように設定されている。アンテナＡＮＴで受信した第２通信バンドの受信信号は、スイッチ素子２０を介して、ＳＡＷフィルタ４２に入力される。第２通信バンドの受信信号は、ＳＡＷフィルタ４２で濾波されて、フロントエンド端子Ｐｆｅから出力される。
【００３５】
このような構成において、スイッチ素子２０内の被選択端子Ｐ０２と被選択端子Ｐ０３との間で発生するキャパシタ２１０と第１インダクタ３０とによって並列共振回路を構成する。この並列共振回路の共振周波数は、第１通信バンドの受信信号の高調波成分であって、第２通信バンドの受信信号の基本周波数に近いもしくは重なる周波数に設定されている。このような構成とすることによって、この第１インダクタ３０とキャパシタ２１０からなる並列共振回路によって、ＳＡＷフィルタ４１とＳＡＷフィルタ４２がともにフロントエンド端子Ｐｆｅに接続されていても、フロントエンド端子Ｐｆｅに第１通信バンドの受信信号の高調波成分が出力することを抑制できる。言い換えれば、第１通信バンドの受信信号の伝送経路と第２通信バンドの受信信号の伝送経路における、スイッチ素子２０のフロントエンド端子Ｐｆｅ側の伝送経路のアイソレーションを高く確保することができる。
【００３６】
図２は、本発明の第１の実施形態に係る高周波スイッチモジュールの構成と比較構成でのアイソレーション特性を示すグラフである。なお、比較構成は、本実施形態に係る高周波スイッチモジュール１０における第１インダクタ３０およびフィルタ素子４０を省略した構成、すなわち、スイッチ素子２０のみで通信バンドの受信信号を切り替えた構成を示す。
【００３７】
図２に示すように、比較構成では、高調波成分が漏洩しているが、本実施形態の高周波スイッチモジュール１０の構成を用いることによって、基本周波数の挿入損失を増加させることなく、第１通信バンドの受信信号の高調波成分がフロントエンド端子Ｐｆｅから出力されることを抑制することができる。
【００３８】
このように、本実施形態の高周波スイッチモジュール１０を用いることによって、スイッチ素子の被選択端子側のアイソレーションを高く確保し、優れた伝送特性を有する高周波スイッチモジュールを、簡素な構成で、小型に実現することができる。
【００３９】
このような構成からなる高周波スイッチモジュール１０は、次に示すような構造によって実現される。図３は、本発明の第１の実施形態に係る高周波スイッチモジュールの平面図である。なお、図３では、高周波スイッチモジュール１０における本願に特徴的な構成のみを図示している。
【００４０】
高周波スイッチモジュール１０は、積層体９０、実装型のスイッチ素子２０、実装型の第１インダクタ３０、および、実装型のフィルタ素子４０を備える。積層体９０は、所定の位置に導体パターンが形成された誘電体基板を積層してなる。回路基板は、互いに対向する２つの矩形形状の主面と両主面に接合する４つの側面とを有する積層体９０により構成されている。実装型のスイッチ素子２０、実装型の第１インダクタ３０、および、実装型のフィルタ素子４０は、積層体９０の表面、すなわち回路基板の一方の主面に実装されている。
【００４１】
第１インダクタ３０の一方の外部導体が実装されるランド導体ＬＥ３０１と、スイッチ素子２０の被選択端子Ｐ０２が実装されるランド導体ＬＥ０２は、積層体９０に形成された接続導体９０１によって、接続されている。第１インダクタ３０の他方の外部導体が実装されるランド導体ＬＥ３０２と、スイッチ素子２０の被選択端子Ｐ０３が実装されるランド導体ＬＥ０３は、積層体９０に形成された接続導体９０２によって、接続されている。
【００４２】
第１インダクタ３０は、スイッチ素子２０における被選択端子Ｐ０２，Ｐ０３の近傍に実装されている。そして、接続導体９０１と接続導体９０２との距離は、できる限り最短距離に形成されている。より詳細には、接続導体９０１，９０２の一部が、積層体９０の表面に設けられたスイッチ素子２０の被選択端子Ｐ０２，Ｐ０３に接続される電極からフィルタ素子４０に向かって直線的に互いに平行に伸びている。この直線的で互いに平行な接続導体９０１，９０２の一部に、第１インダクタ３０を構成するインダクタチップが電気的に接続されている。このインダクタチップの外部電極を結ぶ向きと、接続導体９０１，９０２の一部が伸びる方向とは互いに直交している。
【００４３】
この構成によって、接続導体９０１，９０２の容量性結合を抑制できる。これにより、スイッチ素子２０の被選択端子側のアイソレーションを、さらに向上させることができる。
【００４４】
次に、本発明の第２の実施形態に係る高周波スイッチモジュールについて、図を参照して説明する。図４は、本発明の第２の実施形態に係る高周波スイッチモジュールの構造を示す部分断面図である。
【００４５】
本実施形態の高周波スイッチモジュール１０Ａは、接続導体９０１，９０２の構造が第１の実施形態の高周波スイッチモジュール１０と異なる。
【００４６】
接続導体９０１における積層体９０の積層方向に直交する方向に延びる部分は、積層体９０の誘電体層Ｌｙ０１に相当する位置に配置されている。接続導体９０２における積層体９０の積層方向に直交する方向に延びる部分は、積層体９０の誘電体層Ｌｙ０２に相当する位置に配置されている。
【００４７】
この構成により、接続導体９０１における積層体９０の積層方向に直交する方向に延びる部分と、接続導体９０２における積層体９０の積層方向に直交する方向に延びる部分は、積層体９０を表面から平面視しても、側面から平面視しても異なる位置に配置される。これによって、接続導体９０１と接続導体９０２の容量性結合をさらに抑制することができる。したがって、スイッチ素子２０の被選択端子側のアイソレーションを、さらに向上させることができる。
【００４８】
次に、本発明の第３の実施形態に係る高周波スイッチモジュールについて、図を参照して説明する。図５は、本発明の第３の実施形態に係る高周波スイッチモジュールの構造を示す平面図である。
【００４９】
本実施形態の高周波スイッチモジュール１０Ｂは、第１の実施形態の高周波スイッチモジュール１０に対して、スイッチ素子２０と第１インダクタ３０およびフィルタ素子４０との接続構成が異なる。
【００５０】
本実施形態の高周波スイッチモジュール１０Ｂでは、スイッチ素子２０の被選択端子Ｐ０１をフィルタ素子４０のＳＡＷフィルタ４１に接続する。この実施形態では、被選択端子Ｐ０１が本発明の第１被選択端子に相当する。被選択端子Ｐ０２が本発明の第３被選択端子に相当する。
【００５１】
この構成とすることによって、高周波信号の漏洩が問題となるＳＡＷフィルタ４１，４２に接続する被選択端子が離間し、これらの被選択端子間に他の被選択端子が配置される。これによって、ＳＡＷフィルタ４１，４２に接続する被選択端子間の容量性結合が抑制され、かつ、被選択端子Ｐ０１とＳＡＷフィルタ４１（第１インダクタ３０の一方の外部導体）を接続する接続導体９０１Ａと、被選択端子Ｐ０３とＳＡＷフィルタ４２（第１インダクタ３０の他方の外部導体）を接続する接続導体９０２とが離間する。これによって、接続導体９０１Ａと接続導体９０２の容量性結合を抑制できる。したがって、スイッチ素子２０の被選択端子側のアイソレーションを、さらに向上させることができる。
【００５２】
次に、本発明の第４の実施形態に係る高周波スイッチモジュールについて、図を参照して説明する。図６は、本発明の第４の実施形態に係る高周波スイッチモジュールの回路図である。
【００５３】
本実施形態の高周波スイッチモジュール１０Ｃは、第１の実施形態の高周波スイッチモジュール１０に対して、整合用インダクタ５１を追加したものである。
【００５４】
整合用インダクタ５１は、被選択端子Ｐ０２とＳＡＷフィルタ４１とを接続する伝送ラインにおける被選択端子Ｐ０２と第１インダクタ３０の一方の外部導体との間に、接続されている。
【００５５】
このような構成とすることによって、第１インダクタ３０、ＳＡＷフィルタ４１からスイッチ素子２０を見たインピーダンスを容量性から誘導性にシフトすることができる。例えば、ＳＡＷフィルタ４１で伝送する高周波信号の周波数がＳＡＷフィルタ４２で伝送する高周波信号の周波数よりも高い場合、被選択端子Ｐ０２を見たインピーダンスは、被選択端子Ｐ０３を見たインピーダンスよりも容量性が高くなる。本実施形態の高周波スイッチモジュール１０Ｃでは、整合用インダクタ５１を備えることによって、伝送する高周波信号の周波数における被選択端子Ｐ０２を見たインピーダンスと被選択端子Ｐ０３を見たインピーダンスを同じ程度にすることができる。これによって、スイッチ素子２０の被選択端子側のアイソレーションを確保しながら、ＳＡＷフィルタ４１，４２で伝送する各高周波信号を低損失で伝送することができる。
【００５６】
次に、本発明の第５の実施形態に係る高周波スイッチモジュールについて、図を参照して説明する。図７は、本発明の第５の実施形態に係る高周波スイッチモジュールの回路図である。
【００５７】
本実施形態の高周波スイッチモジュール１０Ｄは、第１の実施形態の高周波スイッチモジュール１０に対して、整合用インダクタ５２を追加したものである。
【００５８】
整合用インダクタ５２は、被選択端子Ｐ０３とＳＡＷフィルタ４２とを接続する伝送ラインにおける第１インダクタ３０の他方の外部導体とＳＡＷフィルタ４２との間に、接続されている。
【００５９】
このような構成とすることによって、第１インダクタ３０、スイッチ素子２０からＳＡＷフィルタ４２を見たインピーダンスを容量性から誘導性にシフトすることができる。例えば、ＳＡＷフィルタ４２で伝送する高周波信号の周波数がＳＡＷフィルタ４１で伝送する高周波信号の周波数よりも低い場合、ＳＡＷフィルタ４２を見たインピーダンスは、ＳＡＷフィルタ４１を見たインピーダンスよりも容量性が高くなる。本実施形態の高周波スイッチモジュール１０Ｄでは、整合用インダクタ５２を備えることによって、伝送する高周波信号の周波数におけるＳＡＷフィルタ４１を見たインピーダンスとＳＡＷフィルタ４２を見たインピーダンスを同じ程度にすることができる。これによって、スイッチ素子２０の被選択端子側のアイソレーションを確保しながら、ＳＡＷフィルタ４１，４２で伝送する各高周波信号を低損失で伝送することができる。
【００６０】
次に、本発明の第６の実施形態に係る高周波スイッチモジュールについて、図を参照して説明する。図８は、本発明の第６の実施形態に係る高周波スイッチモジュールの回路図である。
【００６１】
本実施形態の高周波スイッチモジュール１０Ｅは、第１の実施形態の高周波スイッチモジュール１０に対して、第２インダクタを構成する特性調整用インダクタ５３を追加したものである。
【００６２】
特性調整用インダクタ５３は、フィルタ素子４０とフロントエンド端子Ｐｆｅとを接続する伝送ラインとグランドとの間に接続されている。特性調整用インダクタ５３は、フロントエンド端子Ｐｆｅに接続される後段の回路（例えば、ＬＮＡ）とフィルタ素子４０とのインピーダンス整合等に利用される。
【００６３】
特性調整用インダクタ５３と第１インダクタ３０とが電磁界結合している。このような構成とすることによって、第１インダクタ３０の物理的な大きさを変えることなく、電磁界結合によって第１インダクタ３０の見かけのインダクタンスを変更することができる。これによって、構造的に第１インダクタ３０の形状を変更することができなくても、適切なアイソレーション特性を実現することができる。例えば、アイソレーション特性を維持しながら、高周波スイッチモジュール１０Ｅをより小型に形成することができる。
【００６４】
なお、第１インダクタ３０に結合させる第２インダクタ（特性調整用インダクタ５３）は、フィルタ素子４０におけるスイッチ素子２０に接続する側の端子とグランドとの間に接続されていてもよい。すなわち、スイッチ素子２０とフィルタ素子４０とのインピーダンス整合を行うインダクタであってもよい。
【００６５】
次に、本発明の第７の実施形態に係る高周波スイッチモジュールについて、図を参照して説明する。図９は、本発明の第７の実施形態に係る高周波スイッチモジュールの構造を示す部分断面図である。
【００６６】
本実施形態の高周波スイッチモジュール１０Ｆは、第１の実施形態の高周波スイッチモジュール１０に対して、第１インダクタ３０Ｆが積層体９０内に形成された点で異なる。
【００６７】
第１インダクタ３０Ｆは、積層体９０に形成された導体パターンによってスパイラル形状に形成されている。この際、第１インダクタ３０Ｆの巻回軸は、積層方向に平行である。
【００６８】
積層体９０の内部グランド導体９１０Ｇは、積層体９０を平面視した略全面に亘って形成されているが、開口部９１１を備える。
【００６９】
開口部９１１は、積層体９０を平面して、第１インダクタ３０Ｆのスパイラル形状の中央の開口部に重なっている。
【００７０】
このような構成とすることによって、高周波スイッチモジュール１０Ｆを平面視した形状を、高周波スイッチモジュール１０を平面視した形状よりも小さくできる。さらに、第１インダクタ３０Ｆが発生する磁界が内部グランド導体９１０Ｇによって阻害されないので、第１インダクタ３０ＦのＱ値の低下を抑制できる。これにより、スイッチ素子２０の被選択端子側のアイソレーションをさらに向上することができる。
【符号の説明】
【００７１】
１０，１０Ａ，１０Ｂ，１０Ｃ，１０Ｄ，１０Ｅ，１０Ｆ：高周波スイッチモジュール
２０：スイッチ素子
３０，３０Ｆ：第１インダクタ
４０：フィルタ素子
４１，４２：ＳＡＷフィルタ
５１，５２：整合用インダクタ
５３：第２インダクタ
９０：積層体
９０１，９０２：接続導体
９１０Ｇ：内部グランド導体
９１１：開口部
【図１】
0006455532.tif 000002
【図２】
0006455532.tif 000003
【図３】
0006455532.tif 000004
【図４】
0006455532.tif 000005
【図５】
0006455532.tif 000006
【図６】
0006455532.tif 000007
【図７】
0006455532.tif 000008
【図８】
0006455532.tif 000009
【図９】
0006455532.tif 000010